(57)【要約】【課題】画像記録装置から排出された記録媒体を摘みやすい構成を実現し、利便性の向上を図る。【解決手段】ロール紙に画像を記録するプリンター１の本体１０に排紙部１４が形成され、この排紙部１４の奥に、ロール紙を排出する排紙口１６が設けられ、排紙部１４には、排紙口１６の手前に位置して排紙口１６から排出されたロール紙を下方から支持する左側支持台３１、右側支持台３２が配置され、左側支持台３１、右側支持台３２の上面３１ａ、３２ａは排紙口１６より細い幅に形成されている。【選択図】図１
2010149356.tif 000002
【特許請求の範囲】
【請求項１】
記録媒体に画像を記録し、本体に設けた排出口から排出する画像記録装置において、
前記本体に形成された凹部の奥に前記排出口が設けられ、
前記凹部には、前記排出口の手前に位置して前記排出口から排出された前記記録媒体を下方から支持する支持台が配置され、前記支持台の上面は前記排出口より細い幅に形成されたこと、
を特徴とする画像記録装置。
【請求項２】
前記凹部には、前記排出口の左右両側端部に対応して左右一対の前記支持台が設けられ、これら一対の前記支持台により、前記前記排出口から排出された前記記録媒体の側端部を下方から支持すること、
を特徴とする請求項１記載の画像記録装置。
【請求項３】
前記支持台の上面は、前記排出口の下方において前方に延びる面であること、を特徴とする請求項１または２記載の画像記録装置。
【請求項４】
前記凹部は前記本体の前面に形成され、前記支持台の前面は前記記録装置の本体前面と連続する面を構成し、前記支持台の前面には膨出部が形成されたこと、を特徴とする請求項１から３のいずれかに記載の画像記録装置。
【請求項５】
記録媒体に画像を記録する画像記録装置において記録媒体を排出する排出口構造であって、
前記本体に形成された凹部の奥に前記排出口を設け、
前記凹部には、前記排出口の手前に位置して前記排出口から排出された前記記録媒体を下方から支持する支持台を配置し、前記支持台の上面を前記排出口より細い幅に形成したこと、
を特徴とする画像記録装置における排出口構造。
【発明の詳細な説明】
【技術分野】
【０００１】
本発明は、記録媒体に画像を記録する画像記録装置、および、画像記録装置における排出口構造に関する。
【背景技術】
【０００２】
従来、記録媒体に画像を記録する画像記録装置において、画像記録装置が排出した記録媒体を手で取り上げるものがある（例えば、特許文献１参照）。特許文献１に記載された装置は、厨房において使用されるキッチンプリンターであり、その使用時には、厨房内の作業者が、印刷出力された連続紙を手で引っ張って受け取る。
【特許文献１】特開平０６−２１８９９９号公報
【発明の開示】
【発明が解決しようとする課題】
【０００３】
ところで、上記従来の画像記録装置のように、排出された記録媒体を手で取り上げ、或いは引っ張る場合に、記録媒体が摘みにくい場合がある。例えば特許文献１に開示された装置はロール紙を使用するものであるが、ロール紙の巻き癖が原因で、排出されたロール紙が装置本体から離れず、取り上げにくいことがあった。
本発明は、上述した事情に鑑みてなされたものであり、画像記録装置から排出された記録媒体を摘みやすい構成を実現し、利便性の向上を図ることを目的とする。
【課題を解決するための手段】
【０００４】
上記課題を解決するため、本発明は、記録媒体に画像を記録し、本体に設けた排出口から排出する画像記録装置において、前記本体に形成された凹部の奥に前記排出口が設けられ、前記凹部には、前記排出口の手前に位置して前記排出口から排出された前記記録媒体を下方から支持する支持台が配置され、前記支持台の上面は前記排出口より細い幅に形成されたこと、を特徴とする画像記録装置を提供する。
この構成によれば、本体に形成された凹部の奥に位置する排出口から記録媒体が排出された場合に、この排出口の手前側に位置する支持台によって記録媒体が下方から支持される。ここで、支持台の上面は排出口より細い幅であるため、支持された記録媒体の一部が浮いた状態となり、その側方に空間を生じるので、この画像記録装置を使用するユーザーは、支持された記録媒体の下方に生じた空間に手指を差し入れて、記録媒体を下方から容易に摘むことができる。これにより、記録媒体を摘みやすい構成を容易に実現し、画像記録装置の利便性を高めることができる。
【０００５】
上記構成において、前記凹部には、前記排出口の左右両側端部に対応して左右一対の前記支持台が設けられ、これら一対の前記支持台により、前記前記排出口から排出された前記記録媒体の側端部を下方から支持するものとしてもよい。この場合、凹部に設けられた左右一対の支持台によって記録媒体が下方から支持され、一対の支持台の間に空間が生じるので、この画像記録装置を使用するユーザーは、一対の支持台の間に手指を差し入れて、記録媒体を下方から容易に摘むことができる。
また、前記支持台の上面は、前記排出口の下方において前方に延びる面であってもよい。この場合、排出口から排出された記録媒体の先端が垂れ下がり、或いは記録媒体の癖（巻き癖など）が原因で下方に曲がった場合や、中央を残してカットされたロール紙が支持台の角部で折れ曲がってしまった場合などに、記録媒体が支持台の上面に当接し、これによって一対の支持台の間で記録媒体の下に隙間が生じる。このため、この画像記録装置を使用するユーザーは、支持された記録媒体の下方に生じた空間に手指を差し入れて、記録媒体を下方から容易に摘むことができる。
【０００６】
さらに、前記凹部は前記本体の前面に形成され、前記支持台の前面は前記記録装置の本体前面と連続する面を構成し、前記支持台の前面には膨出部が形成されていてもよい。
この場合、排出口から排出された記録媒体が、凹部から本体の前面に出ると、記録媒体の先端が垂れ下がり、或いは記録媒体の癖（巻き癖など）が原因で下方に曲がったり、中央を残してカットされたロール紙が支持台の角部で折れ曲がったりすることが起こりえるが、このような場合に、記録媒体の先端が支持台の前面の膨出部によって浮いた状態となる。このため、この画像記録装置を使用するユーザーは、膨出部によって支持された記録媒体の裏側に生じた空間に手指を差し入れて、記録媒体を容易に摘むことができる。従って、排出口から排出された記録媒体が長くなり、記録媒体の先端が凹部の外まで出てしまっても、記録媒体を浮かせて摘みやすくすることができる。
【０００７】
また、本発明は、記録媒体に画像を記録する画像記録装置において記録媒体を排出する排出口構造であって、前記本体に形成された凹部の奥に前記排出口を設け、前記凹部には、前記排出口の手前に位置して前記排出口から排出された前記記録媒体を下方から支持する支持台を配置し、前記支持台の上面を前記排出口より細い幅に形成したこと、を特徴とする画像記録装置における排出口構造を提供する。
この構成によれば、本体に形成された凹部の奥に位置する排出口から記録媒体が排出された場合に、この排出口の手前側に位置する支持台によって記録媒体が下方から支持される。ここで、支持台の上面は排出口より細い幅であるため、支持された記録媒体の一部が浮いた状態となり、その側方に空間を生じるので、この画像記録装置を使用するユーザーは、支持された記録媒体の下方に生じた空間に手指を差し入れて、記録媒体を下方から容易に摘むことができる。これにより、記録媒体を摘みやすい排出口構造を容易に実現し、画像記録装置の利便性を高めることができる。
【発明の効果】
【０００８】
本発明によれば、画像記録装置の排出口から排出された記録媒体を下方から容易に摘むことができる構成を、容易に実現することができ、画像記録装置の利便性を高めることができる。
【発明を実施するための最良の形態】
【０００９】
以下、図面を参照して本発明を適用した実施形態について説明する。
図１は、実施形態に係るサーマルプリンター１の斜視図である。
画像記録装置としてのサーマルプリンター１（以下、プリンター１という）は、感熱紙をロール状に巻いたロール紙（図示略）を記録媒体とし、発熱素子を備えたサーマルヘッド４６（図２）により、ロール紙に文字を含む画像を印刷（記録）するプリンターである。本実施形態のプリンター１は、一例として、飲食店等の厨房で用いられ、料理等の注文に応じて厨房内の調理者等に注文内容を知らせるチケット形態の伝票を出力する。
【００１０】
プリンター１の本体１０（本体）は、図１に示すように、プリンター１の前面を構成する前面パネル１１および上部カバー１２を、略箱形のケースカバー２０と組み合わせて構成される。ケースカバー２０は、本体１０の上面から背面上部を構成する上面パネル部材２１と、本体１０の背面および底面を構成する背面パネル部材２２と、本体１０の側面を構成する側面パネル２７とを備えている。側面パネル２７は、図１に現れていない側の側面にも取り付けられ、左右一対となっている。前面パネル１１、上部カバー１２、上面パネル部材２１、背面パネル部材２２および電源スイッチ２３は、いずれも樹脂の成形品である。
【００１１】
プリンター１の前面には、プリンター１によって画像が記録されたロール紙を排出する排紙口１６（排出口）が開口し、この排紙口１６の上に上部カバー１２が配置され、排紙口１６の下に前面パネル１１が配置される。
前面パネル１１は、プリンター１の前面に開閉可能に取り付けられ、前面パネル１１の側方には解除レバー２４が設けられている。解除レバー２４の操作によって前面パネル１１は前側に開き、プリンター１の内部においてロール紙を収容するロール紙収容部（図示略）が露出する。従って、プリンター１を使用するユーザー（作業者）は、解除レバー２４を操作して前面パネル１１を開くことで、ロール紙を本体１０内に装填できる。前面パネル１１の下部には、プリンター１の動作状態（電源のオン／オフ、エラーの有無、紙残りの状態等）に応じて点灯／点滅するＬＥＤを備えた表示部２６、および、ロール紙の送りをユーザーが指示するためのフィードボタン２５が設けられている。
プリンター１の上面において、上面パネル部材２１は、上部カバー１２と付き合わされる。本体１０の上面は、プリンター１の設置面に対して傾斜する傾斜面であり、プリンター１の前面側が高く、背面側が低くなっている。上面パネル部材２１及び背面パネル部材２２は、設置面に対してほぼ垂直な平面を構成する。
また、本体１０の上面には、プリンター１の電源のオンとオフとを切り替える押しボタン式の電源スイッチ２３が設けられている。
また、上部カバー１２は、プリンター１の前面上部から、プリンター１の上面の前部に跨って配置される。
【００１２】
プリンター１の前面には排紙部１４（凹部）が設けられ、この排紙部１４の最奥に排紙口１６が開口している。排紙口１６は、プリンター１の前面より奥まった位置で、画像が記録されたロール紙をほぼ水平方向に排出する。排紙部１４は、上部カバー１２から下向きに、排紙口１６の上方まで延びる斜面１８と、前面パネル１１から上向きに、排紙口１６の下方まで延びる斜面１５との、対向面としての２つの斜面を有する凹部であり、排紙口１６の前方に紙溜まりの空間１４ａを形成する。
画像記録後のロール紙は、排紙口１６から排出され、その後に続けて画像の記録と排出画行われると、ロール紙の先端は排紙部１４の開口部で下方に垂れ下がる。このように排紙口１６から排出されるロール紙を摘みやすくするため、排紙部１４の左右両端には、一対の支持台としての左側支持台３１及び右側支持台３２が配置されている。
【００１３】
左側支持台３１、右側支持台３２は、それぞれ、排紙口１６のやや下方に位置する水平面である上面３１ａ、３２ａを有する。排紙口１６から排出されたロール紙が下に垂れ下がり、或いは、本体１０内に収容されたロール紙の巻き癖によって下向きに巻いてしまった場合や、中央を残してカットされたロール紙が支持台３１、３２の角部で折れ曲がってしまった場合などは、ロール紙の先端が上面３１ａ、３２ａに接触する。この状態では、左側支持台３１と右側支持台３２との間で、ロール紙の下方に空間が生じているので、ユーザーは、この空間に手指を差し入れることで、容易にロール紙を摘んで取り上げることができる。
【００１４】
さらに、左側支持台３１と右側支持台３２の前面には、それぞれ、前面突起３１ｂ、３２ｂ（膨出部）が形成されている。左側支持台３１と右側支持台３２との下端は、本体１０の前面とほぼ面一であり、前面突起３１ｂ、３２ｂは本体１０の前面よりも前方に膨出している。この前面突起３１ｂ、３２ｂは、ロール紙が排紙口１６から排出されて排紙部１４の外へ出て、下方に垂れ下がった場合に、このロール紙の先端を浮かせる。前面突起３１ｂ、３２ｂにロール紙の先端が乗った状態では、左側支持台３１と右側支持台３２との間でロール紙がプリンター１の前面より前方に浮き上がっているので、ユーザーは、下から排紙部１４に向かって手指を差し入れることで、容易にロール紙を摘んで取り上げることができる。
【００１５】
図２は、プリンター１の排紙口１６近傍を示す要部断面視図である。図２中には、記録媒体としてのロール紙の搬送経路を、仮想線Ｐで示す。
図１及び図２に示すように、上部カバー１２の下部には、前方に突出する庇部１３が形成され、この庇部１３の下方から奥に入り込む斜面１８が形成されている。また、前面パネル１１の上部には、奥に入り込む斜面１５が形成されており、斜面１５の後端と斜面１８の後端との間に、ロール紙を排出する排紙口１６が開口している。斜面１８はほぼ平坦な面で構成される一方、斜面１５は湾曲した面となっている。
【００１６】
また、図２に示すように、排紙口１６の奥にはカッター機構４５が配置されている。カッター機構４５は、搬送経路Ｐの上方に位置する可動刃４８と、下方に位置する固定刃４９とを備え、カッター駆動モーター（図示略）及び駆動機構（図示略）により、可動刃４８を上下に移動させることで、可動刃４８と固定刃４９との間でロール紙を挟み切る。カッター機構４５を構成するカッター駆動モーター（図示略）、駆動機構（図示略）、可動刃４８及び固定刃４９等の各部は、ケースカバー２０の内部に配設されたフレーム４０に取り付けられている。
図２に示す領域の右下方にはロール紙を収容するロール紙収容部（図示略）が形成され、このロール紙収容部に収容されたロール紙の先端は、上方に引き出されて紙案内４３により案内され、プラテンローラー４２によって巻き取られる。プラテンローラー４２は、搬送モーター（図示略）により回転駆動されるロール型のプラテンであり、ロール紙を巻き取って搬送する。
【００１７】
このプラテンローラー４２に対し、ロール紙の上から接触または近接するように、紙の有無を検出する紙検出センサー４４が配設されている。紙検出センサー４４は、プラテンローラー４２との間にロール紙があるか否かを検出するセンサーであり、例えば、反射型光センサーが用いられる。さらに、紙検出センサー４４の下流側には、サーマルヘッド４６がプラテンローラー４２に対向して配置されている。サーマルヘッド４６は、発熱素子をライン状に並べて構成される発熱部４７を有し、この発熱部４７が、ばね（図示略）の付勢力によって、プラテンローラー４２に巻き回されたロール紙に押しつけられるよう配置されている。
プリンター１は、プラテンローラー４２を回転させてロール紙を搬送しながら、発熱部４７が備える各素子の発熱状態を制御してロール紙の特定位置のみを変色させることにより、ロール紙に文字を含む画像を記録する。画像が記録されたロール紙は、搬送経路Ｐを経て搬送され、カッター機構４５の固定刃４９の上に達し、ここでカッター機構４５によって切断されて、排紙口１６から排出される。
【００１８】
また、排紙部１４の上側の斜面１８には、導光板１７が取り付けられている。導光板１７は、ガラス或いはアクリル等の合成樹脂等の透光性材料で構成された、透明または半透明の板状部材であり、斜面１８に沿って配設され、斜面１８に接着等により固定されている。導光板１７は、その前端から入射する光を導いて、排紙口１６に放射することにより、排紙口１６を明るく照らす部材である。
【００１９】
図３は、プリンター１によるロール紙の出力形態を示す図である。
本実施形態のプリンター１は、上述したように飲食店等の厨房でチケット形態の伝票を出力するものであり、図３には、チケット形態の伝票の平面図を示す。
この図３に示す伝票１１０、１２０は、注文された料理（商品）の名称と注文数量、注文した客のテーブル番号、人数、注文の時刻等が印刷された切片であり、一つの切片が一つの伝票に相当する。各伝票１１０、１２０は、その境界にカッター機構４５によって切込Ｃが形成される。切込Ｃはロール紙を幅方向両端から内側へ切り込み、中央を残すことで形成される。切込Ｃで完全に切断せずに中央を切り残すと、各伝票１１０、１２０が１枚ずつばらばらに落下しないので、紛失のおそれがなく見やすいという利点がある。伝票１１０、１２０の出力方向を、図３中に矢印で示す。
プリンター１は、図示しないホストコンピューターに接続されており、このホストコンピューターから、注文入力端末（図示略）によって入力されたひとまとまりの注文内容を印刷する指示が入力されると、この指示に従って、ひと綴りの伝票１１０、１２０を印刷出力する。ここで、ひとまとまりの注文内容とは、一つのテーブルの客から一回に受けた注文であり、例えば、一度に５種類の料理が注文された場合には、合計５枚の伝票１１０、１２０がひと綴りとして印刷出力される。ひと綴りの伝票１１０、１２０が印刷出力された後でプリンター１は停止し、ユーザーは、停止したプリンター１の排紙部１４から伝票１１０、１２０を取り上げ、切込Ｃの切り残しを引きちぎればよい。ユーザーは、伝票１１０、１２０をまとめて数枚取り上げることも、１枚ずつ取り上げることもできる。
【００２０】
プリンター１には、伝票１１０、１２０の長さＬ１があらかじめ設定されている。このため、プリンター１は、伝票１１０、１２０の出力時に、長さＬ１の印刷を行う毎にロール紙をカッター機構４５によって切断する。
ところが、ひと綴りの伝票１１０、１２０の印刷をした直後、長さＬ１だけロール紙を搬送しただけでは、印刷された文字や画像と切込Ｃの位置とが重なってしまう。
図２に示すように、カッター機構４５によってロール紙を切断する切断位置Ｅ１は、サーマルヘッド４６の発熱部４７によって画像を印刷する位置Ｅ２よりも所定距離だけ離れている。従って、発熱部４７により文字を印刷した後でロール紙を切断する場合、印刷後の文字が位置Ｅ２から位置Ｅ１を超える位置まで移動するように、ロール紙を搬送する必要がある。言い換えれば、画像を印刷した後で位置Ｅ１−Ｅ２間の距離だけロール紙を搬送しなければ、文字がカッター機構４５によって切断されてしまう。このため、図３に示すようにひと綴りの伝票１１０、１２０を印刷した場合に、プリンター１の中には位置Ｅ１−Ｅ２間にロール紙が残っているので、次に印刷する伝票１１０の先端には、位置Ｅ１−Ｅ２間の残り分に相当する長さＬ２の余白が生じる。この伝票１１０に続いて印刷出力される伝票１２０の長さはＬ１である。
【００２１】
図４は、プリンター１の排紙部１４の近傍を示す要部斜視図である。図４Ａは伝票１１０のみが出力された状態を示し、図４Ｂは伝票１１０に続けて伝票１２０が出力された状態を示す。
図４Ａに示すように、先頭の１片の伝票１１０のみが出力された状態では、伝票１１０の先端は排紙口１６から途中まで出ているだけである。これは、余白の発生量を抑えるため、印刷された部分が位置Ｅ１を超える分だけ搬送されるためである。この図４Ａに示す状態では、伝票１１０の先端が左側支持台３１、右側支持台３２の上面３１ａ、３２ａに乗っている。ここで、伝票１１０は、ロール紙の巻き癖等により下方に巻いてしまうことがあるが、左側支持台３１と右側支持台３２の間では、伝票１１０の下方に空間が生じているので、ユーザーは、この空間に、斜面１５側から手指を差し入れることで、伝票１１０を簡単に摘むことができる。
【００２２】
また、伝票１１０に続けて１枚の伝票１２０が印刷されると、図４Ｂに示すように、伝票１１０の先端が排紙部１４の外に出る。この状態では、伝票１１０の先端は前面パネル１１の前面で垂れ下がっており、前面パネル１１に密着してしまうと摘みにくい。また、巻き癖によって伝票１１０の先端が前面パネル１１側に巻いてしまう可能性もある。しかしながら、本実施形態では、左側支持台３１、右側支持台３２の前面に前面突起３１ｂ、３２ｂが形成されているので、伝票１１０の先端が前面突起３１ｂ、３２ｂによって前方に浮き上がるよう支持されている。このため、前面突起３１ｂと前面突起３２ｂとの間において、伝票１１０の下に空間が生じるので、ユーザーは、この空間に下方から手指を差し入れることで、伝票１１０を簡単に摘むことができる。
なお、伝票１１０を引きちぎった後で、伝票１２０を摘む場合にも、図４Ａ及び図４Ｂで説明したのと同様、左側支持台３１、右側支持台３２の上面３１ａ、３２ａまたは前面突起３１ｂ、３２ｂによって伝票１２０が支持されることで空間が生じるので、この空間に手指を差し入れれば、容易に伝票１２０を摘むことができる。
【００２３】
このように、本発明を適用した実施形態に係るプリンター１によれば、プリンター１の本体１０に形成された排紙部１４の奥に排紙口１６が設けられ、排紙部１４には、左側支持台３１、右側支持台３２が、排紙口１６の手前に位置して排紙口１６から排出されたロール紙を下方から支持するよう配置され、その上面３１ａ、３２ａが排紙口１６より細い幅に形成されているので、排紙口１６から記録後のロール紙である伝票１１０、１２０が排出された場合に、左側支持台３１、右側支持台３２によって伝票１１０、１２０が下方から支持される。ここで、上面３１ａ、３２ａは排紙口１６より細い幅であるため、支持された伝票１１０、１２０の一部が浮いた状態となり、その側方に空間を生じるので、ユーザーは左側支持台３１と右側支持台３２との間に生じた空間に手指を差し入れて、伝票１１０、１２０を下方から容易に摘むことができる。これにより、伝票１１０、１２０を摘みやすい構成を容易に実現し、プリンター１の利便性を高めることができる。
【００２４】
また、排紙部１４には、排紙口１６の左右両側端部に対応して左右一対の左側支持台３１、右側支持台３２が設けられているので、これら左側支持台３１、右側支持台３２の間に手指を差し入れれば、伝票１１０、１２０を下方から容易に摘むことができる。また、上面３１ａ、３２ａは、排紙口１６の下方において前方に延びる面である。このため、排紙口１６から排出された伝票１１０、１２０の先端が垂れ下がり、或いはロール紙の巻き癖などが原因で下方に曲がった場合などに、この伝票１１０、１２０の先端が上面３１ａ、３２ａに当接し、これによって一対の左側支持台３１、右側支持台３２の間で伝票１１０、１２０の下に隙間が生じる。このため、ユーザーは、伝票１１０、１２０の下方に生じた空間に手指を差し入れて、伝票１１０、１２０を下方から容易に摘むことができる。
【００２５】
さらに、排紙部１４は本体１０の前面に形成されており、左側支持台３１、右側支持台３２の前面は記録装置の本体１０の前面と連続する面を構成し、左側支持台３１、右側支持台３２の前面には前面突起３１ｂ、３２ｂが形成されているので、伝票１１０、１２０が排紙部１４から本体１０の前面に出て、その先端が垂れ下がり、或いはロール紙の巻き癖などが原因で下方に曲がった場合などに、伝票１１０、１２０の先端が前面突起３１ｂ、３２ｂによって浮いた状態となる。このため、ユーザーは、前面突起３１ｂ、３２ｂによって浮いた伝票１１０、１２０の裏側の空間に手指を差し入れて、伝票１１０、１２０を容易に摘むことができる。従って、排紙口１６から排出された伝票１１０、１２０が長くなり、伝票１１０、１２０の先端が排紙部１４の外まで出てしまっても、伝票１１０、１２０を浮かせて摘みやすくすることができる。
【００２６】
なお、上記実施形態は本発明を適用した一態様を示すものであって、本発明は上記実施形態に限定されない。例えば、上記実施形態では、排紙部１４が本体１０の前面に設けられた構成を例に挙げて説明したが、本発明はこれに限定されるものではなく、他の側面に設けてもよいし、斜め上方を向く面や斜め下方を向く面等に排紙部１４を設けてもよい。また、左側支持台３１及び右側支持台３２の具体的態様は上述した例に限定されず、例えば、排紙口１６の幅方向中央に位置する１個の支持台を設けてもよい。この場合には、排紙口１６より細い幅に形成された支持台の側方において、ロール紙の下方に空間が生じるので、上記と同様の効果が得られる。また、例えば、３以上の支持台を設けてもよいし、棒状の支持台が排紙口１６の下方に立設されていてもよく、排紙部１４の側面から突出するように、伝票１１０、１２０を側方から支持するガイドを支持台として設けてもよい。
また、カッター機構４５による切断動作は、伝票１１０、１２０の中央部分を切り残して切込Ｃを形成する切り方に限らず、端を切り残すようにしてもよい。その他のプリンター１の細部構成についても任意に変更可能であることは勿論である。
また、上記実施形態において、記録媒体として感熱ロール紙を用いる場合について説明したが、記録媒体は紙の他に合成樹脂または天然繊維製のシートを用いることができ、これらのシートの表面に加工が施されたものであってもよく、このシートにはカットシート、連続シート、ロール状のシート等があり、カットシートは単層シートであってもよいし、複写シートであってもよい。プリンター１は、サーマルヘッド４６によって感熱ロール紙に画像を記録するサーマルプリンターとして説明したが、本発明は、記録媒体にインクを噴射して画像を記録するインクジェット式プリンターや、ドットインパクトプリンター、熱昇華型プリンター等の各種プリンター、及び、これらのプリンターを機構部品として備えた他の電子機器に対しても適用可能である。
【図面の簡単な説明】
【００２７】
【図１】実施形態に係るプリンターを示す斜視図である。
【図２】プリンターの排紙口近傍を示す要部断面視図である。
【図３】プリンターから排出される伝票の構成例を示す平面図である。
【図４】プリンターの排紙部近傍を示す要部斜視図である。
【符号の説明】
【００２８】
１…サーマルプリンター（画像記録装置）、１０…本体、１１…前面パネル、１２…上部カバー、１４…排紙部（凹部）、１５、１８…斜面、１６…排紙口（排出口）、２０…ケースカバー、２３…電源スイッチ、３１…左側支持台（支持台）、３１ａ、３２ａ…上面、３１ｂ、３２ｂ…前面突起（膨出部）、３２…右側支持台（支持台）、４６…サーマルヘッド、１１０、１２０…伝票。
【図１】
2010149356.tif 000003
【図２】
2010149356.tif 000004
【図３】
2010149356.tif 000005
【図４】
2010149356.tif 000006